(57)【要約】      機械で読取可能な大型書簡（１）は、仕分けステーション（１０）において、他の処理に向けて導出し、基準縁部（６）を搬送方向に備え、そしてその基準縁部に対して傾斜した搬送手段（７）上に、切手（３）を貼付した状態で上に向けて、住所の行に対して平行に延びていて、かつその近傍に切手（３）が置かれている書簡縁部が、基準縁部（６）に当接するように置かれる。切手（３）は、導出搬送手段（７）を介して密接して、先に挙げた書簡縁部から切手（３）の間隔に対応する基準縁部（６）からの間隔内で側方に設けられた消印装置（４）により自動的に消印される。引き続きさらなる搬送の際に、短い書簡縁部でもって基準縁部（６）に当接する大型書簡（１）は、局部的に固定された回転部材（８）を用いて９０°回転する。
2007530268.tif 000002
【特許請求の範囲】
【請求項１】
切手を貼付した大型書簡を処理するための方法であって、
大型書簡（１）が他の郵便物と混合された状態で搬送手段（１２）上に置かれながら仕分けステーション（１０）に供給され、この仕分けステーションにおいて郵便物流が少なくとも機械で読取可能な大型書簡（１）と残りの郵便物に区分けされる方法において、
機械で読取可能な大型書簡（１）が、仕分けステーション（１０）において、他の処理に向けて導出し、基準縁部（６）を搬送方向に備え、そしてその基準縁部に対して傾斜した搬送手段（７）上に、切手（３）を貼付した状態で上に向けて、住所の行に対して平行に延びていて、かつその近傍に切手（３）が置かれている書簡縁部が、基準縁部（６）に当接するように置かれることと、
切手（３）が、導出搬送手段（７）を介して密接して、先に挙げた書簡縁部から切手（３）の間隔に対応する基準縁部（６）からの間隔内で側方に設けられた消印装置（４）により自動的に消印されることと、
引き続き短い書簡縁部でもって基準縁部（６）に当接している大型書簡（１）が、局部的に固定された回転部材（８）を用いてさらなる搬送の際に９０°回転し、従ってその後同様に大型書簡が長い書簡縁部でもって基準縁部（６）に当接することを特徴とする方法。
【請求項２】
書簡前側縁部を検出するセンサー（５）が設けられており、その信号と消印装置（４）からの間隔から、ならびに消印装置（４）の搬送速度から、各大型書簡（１）に消印するための消印装置（４）の開始時点が算出されることを特徴とする請求項１記載の方法。
【請求項３】
その信号から各大型書簡（１）に消印するための消印装置（４）の開始時点が算出される、書簡前側縁部を検出するセンサー（５）が、消印装置（４）内に設けられていることを特徴とする請求項２記載の方法。
【請求項４】
大型書簡（１）の各々に関して、書簡前側縁部から切手（３）の間隔は算出され、この間隔が消印装置（４）のその都度の開始時点の算出に採用されることを特徴とする請求項２または３に記載の方法。
【請求項５】
消印工程が一定の時間を経て行われることを特徴とする請求項２または３に記載の方法。
【請求項６】
消印装置として、スタンプ装置がローラスタンプを備えており、このローラスタンプが消印するために大型書簡（１）上に弾性的に押圧されることを特徴とする請求項１記載の方法。
【請求項７】
基準縁部から回転部材（８）の間隔が許可された各大型書簡（１）の最大幅よりも大きく、かつ最小高さよりも小さいことを特徴とする請求項１記載の方法。
【請求項８】
回転部材（８）が回転可能に支承され、かつ垂直に起立したシリンダとして形成されていることを特徴とする請求項７記載の方法。
【請求項９】
シリンダが駆動され、かつ搬送方向と反対である回転方向を有していることを特徴とする請求項８記載の方法。
【請求項１０】
切手を貼付した大型書簡を処理するための装置であって、
仕分け装置（１０）を備え、この仕分け装置において搬送手段（１２）上に供給される郵便物が少なくとも機械で読取可能な大型書簡（１）と残りの郵便物に区分けされる装置において、
搬送手段（７）と、消印装置（４）と、局部的に固定された回転部材（８）とを備え、
前記搬送手段が機械により読取可能な大型書簡（１）を仕分けステーション（１０）から他の処理に向けて導出し、基準縁部（６）を搬送方向に備え、そしてその基準縁部に対して傾斜しており、この場合導出されるべき大型書簡（１）が、切手（３）を貼付した状態で上に向けて、住所の行に対して平行に延びていて、かつその近傍に切手（３）が置かれている書簡縁部が、基準縁部（６）に当接するように置かれており、
前記消印装置が導出搬送手段（７）を介して密接して、先に挙げた書簡縁部から切手（３）の間隔に対応する基準縁部（６）からの間隔内で側方に設けられており、
前記回転部材が、流れを下って設けられており、かつ短い書簡縁部でもって基準縁部（６）に当接している大型書簡（１）が、引き続く搬送の際に９０°回転するように構成されていることを特徴とする装置。
【請求項１１】
書簡前側縁部を検出するセンサー（５）が設けられていることと、そのセンサーの信号と消印装置（４）からの間隔、ならびに消印装置（４）の搬送速度から、各大型書簡（１）に消印するための消印装置（４）の開始時点が算出可能であるように構成されていることを特徴とする請求項１０記載の装置。
【請求項１２】
各大型書簡（１）に消印するための消印装置の開始時間が算出される信号から書簡の前側縁部を検知するセンサー（５）が消印装置（４）内に設けられていることを特徴とする請求項１１記載の装置。
【請求項１３】
消印装置（４）として、スタンプ装置がローラスタンプを備えており、このローラスタンプが消印するために大型書簡（１）上に弾性的に押圧できるることを特徴とする請求項１０記載の装置。
【請求項１４】
基準縁部（６）から回転部材（８）の間隔が許可された各大型書簡（１）の最大幅よりも大きく、かつ最小高さよりも小さいことを特徴とする請求項１０記載の装置。
【請求項１５】
回転部材（８）が回転可能に支承され、かつ垂直に起立したシリンダとして形成されていることを特徴とする請求項１４記載の装置。
【請求項１６】
シリンダが駆動され、かつ搬送方向と反対である回転方向を有していることを特徴とする請求項１５記載の装置。
【発明の詳細な説明】
【技術分野】
【０００１】
本発明は、請求項１および１０の上位概念による、切手を貼付した大型書簡を処理するための方法および装置に関する。
【背景技術】
【０００２】
郵便業務の予備処理において、ほぼ全ての郵便業務管理にあっては、インプットされた郵便物流は効果的な後続の処理のために分類される。処理の経過において、書簡は長手方向縁部を基準にして配置され、住所領域／切手の位置は整向される。さらに書簡は消印され、場合によっては無作為検出検査様式で正しい前払いされたかどうか［歳入保護（revenue protection）］点検される。予備処理の最後に、書簡は後続の処理における別の処理に向けて対応するように仕分けされた状態で供給される。厚さならびにフォーマット寸法が限定された機械で読取可能な標準書簡は、インプットされた郵便物の最大の割合を形成している。この最大の割合はできる限り自動で処理される。二番目に大きな割合、すなわち大型書簡は標準書簡を少なくとも１つのパラメータの点で超えている郵便物である。標準書簡に消印するのと比較して、大型書簡に消印するのは難しい。標準書簡の場合、住所と同様に切手のための一定の見込み領域がある。大型書簡の場合これは設定されていない。これにより存在する郵便物の寸法ならびに郵便物上の住所と切手の配置の大きなばらつきがあるので、これらの郵便物に例えば全自動で消印するために、莫大なる費用が必要とされ、従って実際は主に手作業の消印が行われる。切手の位置は通常住所領域の位置に従っている。
【０００３】
二つの変形実施形態が大多数の大型書簡をカバーしている（図１）。切手領域が慣習的に長方形なので、大型書簡の一部は（例えばローラスタンプにより）長方形の消印を使用する際には横切ってスタンプされ、残りは長手方向にスタンプされる。
【０００４】
従って標準書簡が配置される／消印される方法（スタンプマシーンは長手方向縁部に沿った整向を前提とする）は、大型書簡の場合使用できないかあるいは大型書簡の一部にだけ使用できる。
【０００５】
さらに消印された大型書簡を機械処理するために、長手方向に整向された導出／積み下ろしが必要であり、結果として大型書簡仕分けシステム内への入力が必要である。
【０００６】
書簡流を標準書簡と大型書簡に区分けすること、ならびに長手方向縁部に配置／整向することは対応する仕分けステーションにおいて完全自動、半自動あるいは手作業で行われる。書簡を完全自動で仕分けかつ整向するのに、特許文献１に記載されたパッケージ品を取扱うための装置が適している。さらにこの関連で、厚さに従って郵便物を区分けするための傾斜して設けられた回転ドラムが知られている。
【特許文献１】欧州特許第１１８５４７３号明細書
【発明の開示】
【発明が解決しようとする課題】
【０００７】
本発明の根底をなす課題は、郵便物流の予備処理の範囲内で、住所の向きが様々である
大型書簡に消印する際の煩雑さを低減することにある。
【課題を解決するための手段】
【０００８】
本発明によれば、この課題は請求項１及び１０の特徴により解決される。
【０００９】
機械で読取可能な大型書簡は、仕分けステーションにおいて、他の処理に向けて導出し、基準縁部を搬送方向に備え、そしてその基準縁部に対して傾斜した搬送手段上に、切手を貼った状態で、上に向けて、住所の行に対して平行に延びていて、かつその近傍に切手が置かれている書簡縁部が、基準縁部に当接するように置かれる。切手は、導出搬送手段を介して密接して、先に挙げた書簡縁部から切手の間隔に対応する基準縁部からの間隔内で側方に設けられた消印装置により消印される。引き続き短い書簡縁部でもって基準縁部に当接している大型書簡は、局部的に固定された回転部材を用いてさらなる搬送の際に９０°回転し、従ってその後同様に大型書簡は長い書簡縁部でもって基準縁部に当接する。
【００１０】
本発明の有利な実施例は従属請求項に示してある。
【００１１】
消印装置が正確な時点に開始されるように、書簡前側縁部を検出するセンサーが設けられているのは有利である。その信号と消印装置からの間隔から、ならびに消印装置の搬送速度から、各大型書簡に消印するための消印装置の開始時点が算出される。
【００１２】
さらにその信号から各大型書簡に消印するための消印装置の開始時点が算出される、書簡前側縁部を検出するセンサーが、消印装置内に設けられているのは有利である。
【００１３】
消印工程の精度を上げるために、大型書簡の各々に関して、書簡前側縁部から切手の間隔を算出し、この間隔を消印装置のその都度の開始時点の算出に採用するのは有利である。
【００１４】
消印工程が一定の期間にわたり行われる場合、消印装置の制御は単純化することができる。
【００１５】
さらに消印装置として、消印するために大型書簡上に弾性的に押圧されるローラスタンプを備えたスタンプ装置備えているのも有利である。
【００１６】
許可された大型書簡フォーマットすべての書簡が９０°だけ回転できるように、書簡が短い書簡縁部でもって基準縁部に当接する場合、基準縁部から回転部材の間隔は最大幅よりも大きく、かつ許可された大型書簡の最小高さよりも小さい。
【００１７】
さらに回転部材を複雑でない構造の場合に回転可能に支承されかつ垂直に起立したシリンダとして形成すると有利である。
【００１８】
大型書簡の回転を付加的に助けるために、シリンダが駆動されておりかつ回転方向とは反対の回転方向を有していると有利である。
【発明を実施するための最良の形態】
【００１９】
以下に本発明を図に基づき実施例にて説明する。
【実施例】
【００２０】
大型の書簡の場合に最も頻繁に生じる住所領域と切手領域の配置を図３に示してある。頭部側で長辺を備えたカテゴリーＡの大型書簡１において、切手領域３は標準書簡のように右上角隅部に設けられており、宛先住所用の住所領域２は判読し易い整向状態で斜め下に設けられている。縦置きのカテゴリーＢの大型書簡１において、切手領域３は同様に右上に設けられ、住所領域２は短辺が頭部にある場合（縦置き位置）、その下に設けられている。
【００２１】
例えばローラスタンプ４を使用して、局部的に固定されていて、移動不能な消印装置を用いて図１に従って消印を行わなければならない場合、カテゴリーＡの大型書簡は長手方向に整向されて供給され、カテゴリーＢの大型書簡は消印装置４に縦置き状態で搬送手段７により供給され、この場合コンベヤベルトにより供給される。
【００２２】
光バリア５を用いて大型書簡１の前側縁部が一定の間隔でローラスタンプの手前で検知されると、消印工程は、消印が切手２にされるように搬送運動と同期されるようにして開始される。消印が一定の状態で押されるように、大型書簡１は消印装置４に対応するように整向された状態で通り過ぎて案内される。このことは、コンベヤベルト７が基準縁部６に向かって傾斜しており、大型書簡１が選択された整向状態で基準縁部上に滑動するかあるいは少なくとも搬送の間そこに留まることにより行われる。
【００２３】
基準縁部６からローラスタンプの間隔は上側書簡縁部から切手３の間隔にほぼ一致する。消印が行われた後、幅の狭い辺を下に整向された大型書簡１は９０°回転させなければならず、従って大型書簡は要求される長手方向に整向された状態でさらに処理される。
【００２４】
この目的で、流れを下って回転部材８は、垂直に整向され、回転可能に支承され、回転工程を助けるために駆動され、その回転方向が搬送方向と反対であるシリンダの方式で、コンベヤベルト７の上方に設けられている。この場合基準縁部６から回転部材８の間隔は許可された大型書簡１の最大幅よりも大きく、許可された大型書簡１の最小高さよりも小さい。その後大型書簡１はコンベヤベルト７の端部に配置されたコンテナ９内に積み重ねられる。さらにコンベヤベルト７を仕分け装置まで案内することができるのは当然である。さらに搬送手段の少なくともその一部は搬送方向で付加的に傾斜した滑走部として構成されてもよい。
【００２５】
図２は手作業の仕分けステーション１０においてこの解決手段を採用していることを示しており、この仕分けステーションで作業者１１は他のコンベヤベルト１２へ供給される郵便物流から機械で読取可能な大型書簡１を仕分けし、かつ記載したように他のコンベヤベルト１２に対して直角に延びている導出するコンベヤベルト７上に整向された状態に大型書簡を置く。従ってこの場合極めて有利な方法で大きさに応じた仕分けが消印と関連している。
【００２６】
さらに手作業の仕分けステーションに代わり、特許文献１に記載してあるように、書簡を完全自動で仕分けし、かつ整向するための自動仕分けステーションを使用してもよい。仕分け出力部は先に記載したように基準縁部を備えており、搬送手段は基準縁部に向かって傾斜し、対応して消印装置と回転部材が設けられる。
【図面の簡単な説明】
【００２７】
【図１】接続する回転部材を備えた消印装置の概略平面図である。
【図２】手作業の仕分けステーションにおける消印装置の概略平面図である。
【図３】住所及び切手の領域を備えた最も一般的な書簡を示す図である。
【図１】
2007530268.tif 000003
【図２】
2007530268.tif 000004
【図３】
2007530268.tif 000005
【国際調査報告】
2007530268.tif 000006
2007530268.tif 000007
2007530268.tif 000008
2007530268.tif 000009